(57)【要約】【課題】軸流ファンを用いた従来の送風ユニットと同等に小型で、かつ、大幅な低騒音化及び省エネルギー化を図る。【解決手段】それぞれ、空気の吸込口４０と吐出口５０とが直交する向きに形成されたケーシングと、ケーシングの内部に収納されており、かつ、回転軸が吸込口の方向に向けて配置された羽根車１３とを備える第１遠心ファン１１及び第２遠心ファン１２と、第１遠心ファン及び第２遠心ファンを支持するファン支持筐体２０とを有し、ファン支持筐体は、第１遠心ファンと第２遠心ファンとの間に、空気の流路８０を形成するとともに、流路に対して第１遠心ファンの吸込口と第２遠心ファンの吸込口とを直交させるように、第１遠心ファン及び第２遠心ファンを支持する。【選択図】図４
2013245634.tif 000002
【特許請求の範囲】
【請求項１】
それぞれ、空気の吸込口と吐出口とが直交する向きに形成されたケーシングと、当該ケーシングの内部に収納されており、かつ、回転軸が当該吸込口の方向に向けて配置された羽根車とを備える第１遠心ファン及び第２遠心ファンと、
前記第１遠心ファン及び前記第２遠心ファンを支持するファン支持筐体とを有し、
前記ファン支持筐体は、前記第１遠心ファンと前記第２遠心ファンとの間に、空気の流れる方向に沿って、空気の流路を延伸して形成するとともに、当該流路に対して前記第１遠心ファンの前記吸込口と前記第２遠心ファンの前記吸込口とを直交させるように、前記第１遠心ファン及び前記第２遠心ファンを支持する
ことを特徴とする遠心ファンユニット。
【請求項２】
請求項１に記載の遠心ファンユニットであって、
前記ファン支持筐体は、前記流路の延伸方向を奥行き方向とし、前記第１遠心ファンの前記吸込口及び前記第２遠心ファンの前記吸込口の向きを横方向とし、前記奥行き方向及び前記横方向の双方に直交する方向を高さ方向とし、前記第１遠心ファンと前記第２遠心ファンとで、前記吸込口の位置を前記高さ方向にずらした状態で、前記第１遠心ファン及び前記第２遠心ファンを支持する
ことを特徴とする遠心ファンユニット。
【請求項３】
請求項１又は請求項２に記載の遠心ファンユニットであって、
前記ファン支持筐体は、前記流路の延伸方向を奥行き方向とし、前記第１遠心ファンと前記第２遠心ファンとで、前記吸込口の位置を前記奥行き方向にずらした状態で、前記第１遠心ファン及び前記第２遠心ファンを支持する
ことを特徴とする遠心ファンユニット。
【請求項４】
請求項１乃至請求項３のいずれか一項に記載の遠心ファンユニットであって、
前記ファン支持筐体は、直方体の形状に形成されており、かつ、当該直方体を構成する一組の対向面の一方の面に空気の取込口が設けられているとともに、他方の面に空気の吐出口が設けられている
ことを特徴とする遠心ファンユニット。
【請求項５】
請求項１乃至請求項３のいずれか一項に記載の遠心ファンユニットであって、
前記ファン支持筐体は、テーパ状に形成されているとともに、その内部に、大口径の開口部と小口径の開口部とが設けられた吸込ケーシングを備えており、
前記吸込ケーシングは、前記大口径の開口部を空気の取込口とし、
前記第１遠心ファン及び前記第２遠心ファンは、それぞれの前記吸込口が前記吸込ケーシングの前記小口径の開口部付近に配置されている
ことを特徴とする遠心ファンユニット。
【請求項６】
請求項５に記載の遠心ファンユニットであって、
前記ファン支持筐体は、さらに、前記第１遠心ファンと前記第２遠心ファンとの間を仕切るとともに、前記流路を前記第１遠心ファン側の前記第１流路と前記第２遠心ファン側の前記第２流路とに分割する仕切り板を備えている
ことを特徴とする遠心ファンユニット。
【請求項７】
請求項１乃至請求項６のいずれか一項に記載の遠心ファンユニットであって、
前記第１遠心ファン及び前記第２遠心ファンは、同一形状の遠心ファンによって構成されており、
前記ファン支持筐体は、前記流路を挟んで、逆向きに、前記第１遠心ファン及び前記第２遠心ファンを支持する
ことを特徴とする遠心ファンユニット。
【請求項８】
請求項１乃至請求項７のいずれか一項に記載の遠心ファンユニットを実装した
ことを特徴とする電子装置。
【発明の詳細な説明】
【技術分野】
【０００１】
本発明は、電子装置の冷却用の送風ユニットとして使用される遠心ファンユニット、及び、当該遠心ファンユニットを備えた電子装置に関する。
【背景技術】
【０００２】
ＯＡ（Ｏｆｆｉｃｅ  Ａｕｔｏｍａｔｉｏｎ）機器やＩＴ（Ｉｎｆｏｒｍａｔｉｏｎ  Ｔｅｃｈｎｏｌｏｇｙ）機器、家電製品等の電子装置では、随時、小型化及び高性能化が図られている。その小型化及び高性能化に伴って、これらの電子装置では、多数の電子部品が高密度に実装されている。そのため、これらの電子装置では、発熱量が増加する傾向にある。
【０００３】
そこで、これらの電子装置では、実装された電子部品を冷却するために、冷却用の送風ユニットが実装されている。送風ユニットは、送風ファンを搭載し、送風ファンによって風を送るユニットである。送風ユニットは、一般に、送風ファンとして、軸流ファンが用いられている。それは、軸流ファンを用いた送風ユニットが、以下の要因により、高密度化された電子装置の電子部品の冷却に適しているからである。
【０００４】
（１）高密度化された電子装置は、送風ユニットの設置スペースが制限される。そのため、送風ユニットは、その特性として、電子装置に実装された電子部品を十分に冷却できることに加え、小スペースに設置できることも望まれている。
（２）一方、軸流ファンは、空気の流入と流出とが同一方向になる。そのため、軸流ファンは、風量を比較的容易に得ることができる。しかも、軸流ファンは、単純な構成のため、小型に構成することができ、その結果、寸法の制約を受け難い。
このような要因により、高密度化された電子装置では、軸流ファンを用いた送風ユニットが実装されている。
【０００５】
このような送風ユニットの中には、複数の軸流ファンを直列に配置し、しかも、通常時に、各ファンを低速度で回転駆動させる一方で、いずれかのファンが故障したときに、他の正常なファンを高速度で回転駆動させることによって、一定の冷却能力を補償するユニット（以下、「従来の送風ユニット」と称する）がある（特許文献１参照）。
【先行技術文献】
【特許文献】
【０００６】
【特許文献１】特開２００２−３５３６７８号公報
【発明の概要】
【発明が解決しようとする課題】
【０００７】
しかしながら、軸流ファンを用いた従来の送風ユニットは、以下に説明するように、現在と同程度のサイズでは、今以上の大幅な低騒音化及び省エネルギー化を図ることが困難である、という課題があった。
【０００８】
電子装置は、その小型化及び高性能化に伴って、多数の電子部品が高密度に実装されつつある。そのため、電子装置は、年々、内部の通風抵抗が大きくなり、これによって、風が通り難い構成になりつつある。その結果、電子装置は、送風ユニットから得られる冷却風量が低下する傾向にある。したがって、送風ユニットは、電子装置の小型化及び高性能化に伴って、冷却能力を更に向上させることが求められている。
【０００９】
この点について、軸流ファンは、風量を比較的容易に得ることができる一方で、比較的低い風圧しか得ることができない。そのため、軸流ファンを用いた従来の送風ユニットは、通風抵抗の大きな高密度化された電子装置の電子部品を十分に冷却することが困難になりつつある。
【００１０】
また、軸流ファンを用いた従来の送風ユニットは、軸流ファンのサイズを大きくすることによって、冷却能力を向上させることができる。しかしながら、従来の送風ユニットは、設置スペースが制限されるため、軸流ファンのサイズを大きくすることができない。
【００１１】
そのため、軸流ファンを用いた従来の送風ユニットは、現在と同程度のサイズで、冷却能力を更に向上させるためには、直列に配置されたファンの数を増加させたり、又は、ファンの単位時間当たりの回転数（以下、単に「回転数」と称する）を増加させたりするしかなかった。しかしながら、従来の送風ユニットは、ファンの数を増加させたり、又は、ファンの回転数を増加させたりすると、騒音及び消費電力が増大するため、市場からの電子装置に対する低騒音化及び省エネルギー化に対する要望とは逆行してしまう。したがって、従来の送風ユニットは、現在と同程度のサイズで、今以上の大幅な低騒音化及び省エネルギー化を図る必要があった。
【００１２】
しかしながら、従来の送風ユニットは、既に様々な改良が施されているため、冷却能力を向上させるための改良の余地が少ない。そのため、従来の送風ユニットは、現在と同程度のサイズでは、今以上の大幅な低騒音化及び省エネルギー化を図ることが困難であった。
【００１３】
本発明は、前記した課題を解決するためになされたものであり、軸流ファンを用いた従来の送風ユニットと同等に小型で、かつ、従来の送風ユニットよりも大幅な低騒音化及び省エネルギー化を実現する送風ユニットを提供すること、及び、その送風ユニットを備えた電子装置を提供することを主な目的とする。
【課題を解決するための手段】
【００１４】
前記目的を達成するため、第１発明は、遠心ファンユニットであって、それぞれ、空気の吸込口と吐出口とが直交する向きに形成されたケーシングと、当該ケーシングの内部に収納されており、かつ、回転軸が当該吸込口の方向に向けて配置された羽根車とを備える第１遠心ファン及び第２遠心ファンと、前記第１遠心ファン及び前記第２遠心ファンを支持するファン支持筐体とを有し、前記ファン支持筐体は、前記第１遠心ファンと前記第２遠心ファンとの間に、空気の流れる方向に沿って、空気の流路を延伸して形成するとともに、当該流路に対して前記第１遠心ファンの前記吸込口と前記第２遠心ファンの前記吸込口とを直交させるように、前記第１遠心ファン及び前記第２遠心ファンを支持する構成とする。
【００１５】
この遠心ファンユニットは、送風ファンとして第１遠心ファン及び第２遠心ファンを用いる構成になっており、電子装置の冷却用の送風ユニットとして使用することができる。そして、遠心ファンは、軸流ファンよりも低い回転数で、高い風圧を得ることができる。そのため、この遠心ファンユニットは、送風ファン（第１遠心ファン及び第２遠心ファン）の回転数を増加させなくても、通風抵抗の大きな高密度化された電子装置の電子部品を十分に冷却させるための冷却能力を得ることができる。したがって、この遠心ファンユニットは、送風ファン（第１遠心ファン及び第２遠心ファン）の回転数を抑制することができる。
【００１６】
また、この遠心ファンユニットは、送風ファンとして２つの遠心ファンを用いる構成ですむため、軸流ファンを用いた従来の送風ユニットと同等に小型のサイズに構成することができる。そのため、この遠心ファンユニットは、軸流ファンを用いた従来の送風ユニットと同等に小型で、かつ、従来の送風ユニットよりも大幅な低騒音化及び省エネルギー化を実現することができる。
【００１７】
また、第２発明は、電子装置であって、第１発明に係る遠心ファンユニットを実装した構成とする。
この電子装置は、第１発明に係る遠心ファンユニットを実装するため、従来の送風ユニットによる冷却時以上の低騒音化及び省エネルギー化を実現することができる。
その他の手段は、後記する。
【発明の効果】
【００１８】
本発明によれば、軸流ファンを用いた従来の送風ユニットと同等に小型で、かつ、従来の送風ユニットよりも大幅な低騒音化及び省エネルギー化を実現することができる。
【図面の簡単な説明】
【００１９】
【図１】実施形態１に係る遠心ファンユニットの構成を示す図である。
【図２】実施形態１に用いる遠心ファンの斜視図である。
【図３】実施形態１に用いる遠心ファンの断面図である。
【図４】実施形態１に係る遠心ファンユニットの断面図である。
【図５】実施形態１に係る遠心ファンユニットの特性を示すグラフ（１）である。
【図６】実施形態１に係る遠心ファンユニットの特性を示すグラフ（２）である。
【図７】実施形態２に係る遠心ファンユニットの構成を示す図である。
【図８】実施形態２に係る遠心ファンユニットの断面図である。
【図９】実施形態３に係る遠心ファンユニットの斜視図である。
【図１０】実施形態３に係る遠心ファンユニットの断面図である。
【図１１】実施形態４に係る電子装置の概略構成図である。
【発明を実施するための形態】
【００２０】
本発明では、冷却用の送風ユニットが、遠心ファンを有する遠心ファンユニットとして構成されている。以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２１】
［実施形態１］
＜遠心ファンユニットの構成＞
以下、図１〜図４を参照して、本実施形態１に係る遠心ファンユニットの構成につき説明する。図１は、実施形態１に係る遠心ファンユニットの構成を示す図である。図２は、実施形態１に用いる遠心ファンの斜視図である。図３は、実施形態１に用いる遠心ファンの断面図である。図４は、実施形態１に係る遠心ファンユニットの断面図である。
【００２２】
本実施形態１に係る遠心ファンユニット１は、電子装置に実装され、冷却用の送風ユニットとして使用されるユニットである。図１に示すように、遠心ファンユニット１は、送風ファンとして２つの遠心ファン１０と、これら２つの遠心ファン１０を支持するファン支持筐体２０とを有する構成になっている。
【００２３】
なお、図１（ａ）は、遠心ファンユニット１の斜視構成を示している。また、図１（ｂ）は、側面方向から見た、遠心ファンユニット１に用いられている２つの遠心ファン１０の配置関係を示している。
【００２４】
本実施形態１では、ファン支持筐体２０は、図１（ａ）に示すように、略直方体の形状に形成されている。そのファン支持筐体２０は、上下左右の４つの面が天板と底板と両横の２枚の側板とによって封止されるとともに、前後の２つの面が開口された構成になっている。また、前後の２つの面の一方の面には、空気の取込口３０（図４参照）が設けられている。さらに、他方の面には、空気の吐出口５０（図４参照）が設けられている。遠心ファンユニット１は、２つの遠心ファン１０によって、取込口３０から吐出口５０に向けて空気を流動させる。
【００２５】
図２は、遠心ファン１０の斜視構成を示している。本実施形態１では、２つの遠心ファン１０は、同じ構成になっているものとして説明する。図２に示すように、遠心ファン１０は、多数のブレード１４が設けられた羽根車１３と、空気を吸込口４０から吸い込んで吐出口５０から吐き出すケーシング（以下、「吐出ケーシング７０」と称する）とを備えている。また、遠心ファン１０は、羽根車１３を回転駆動させるモータ等の駆動部（図示せず）と、駆動部に電力を供給するための配線（図示せず）とを備えている。
【００２６】
吐出ケーシング７０は、吸込口４０と吐出口５０とが直交する向きに形成されている。吐出ケーシング７０は、特許請求の範囲に記載された「ケーシング」に相当する。羽根車１３は、その回転軸が吸込口４０の方向に向けて配置されるように、吐出ケーシング７０の内部に収納されている。
【００２７】
図３は、遠心ファン１０の断面構成を示している。遠心ファン１０は、羽根車１３を回転させることにより、空気を流動させる。このとき、空気は、図３に示すように、矢印Ｆｉ１１の方向に沿って吸入口４０から遠心ファン１０の内部に流入し、その後、矢印Ｆｏ１１の方向に沿って吐出口５０から遠心ファン１０の外部に流出する。
【００２８】
このように、遠心ファン１０は、空気の流れる方向が流入と流出とで異なる点が大きな特徴になっている。また、遠心ファン１０は、比較的低い単位時間当たりの回転数（以下、単に「回転数」と称する）で、比較的高い風圧の空気を吐出口５０から流出させる（吐き出す）点が大きな特徴になっている。
【００２９】
図４は、図１（ａ）に示すＡ−Ａ線に沿って切断した遠心ファンユニット１の断面構成を示している。以下、２つの遠心ファン１０を区別する場合に、図４に示す上側（図１に示す左側）の遠心ファン１０を「第１遠心ファン１１」と称し、図４に示す下側（図１に示す右側）の遠心ファン１０を「第２遠心ファン１２」と称する。
【００３０】
図４に示すように、遠心ファンユニット１のファン支持筐体２０は、２つの遠心ファン１０の吐出口５０の向きを同じ方向にし、また、２つの遠心ファン１０の天地の向きを逆の方向にし、さらに、２つの遠心ファン１０の吸込口４０を対面させた状態で、２つの遠心ファン１０を支持している。
【００３１】
すなわち、遠心ファンユニット１のファン支持筐体２０は、第１遠心ファン１１の吐出口５０（以下、「第１吐出口５１」と称する）と第２遠心ファン１２の吐出口５０（以下、「第２吐出口５２」と称する）との向きを同じ方向にし、第１遠心ファン１１と第２遠心ファン１２との間に、空気の流れる方向に沿って、空気の流路８０を延伸して形成するとともに、その流路８０に対して第１遠心ファン１１の吸込口４０（以下、「第１吸込口４１」と称する）と第２遠心ファン１２の吸込口４０（以下、「第２吸込口４２」と称する）とを直交させるように、第１遠心ファン１１と第２遠心ファン１２とを支持している。
【００３２】
なお、遠心ファンユニット１は、第１遠心ファン１１と第２遠心ファン１２とで、ブレード１４の向きが逆になり、また、羽根車１３の回転方向が逆になる。
【００３３】
このような遠心ファンユニット１では、図４に示すように、空気が、矢印Ｆｉ１０の方向に沿って取込口３０から遠心ファンユニット１の内部に設けられたケーシング（以下、「吸込ケーシング６０」と称する）の内部に流入する。
【００３４】
なお、本実施形態１では、吸込ケーシング６０は、取込口３０と第１遠心ファン１１及び第２遠心ファン１２との間に設けられている。その吸込ケーシング６０は、第１遠心ファン１１と第２遠心ファン１２との間に設けられた流路８０に接続されている。第１遠心ファン１１は、第１吸込口４１が流路８０に向けて開口された状態で、ファン支持筐体２０によって支持されている。また、第２遠心ファン１２は、第２吸込口４２が流路８０に向けて開口された状態で、ファン支持筐体２０によって支持されている。
【００３５】
吸込ケーシング６０の内部に流入した空気は、流路８０の内部を流動した後、流路８０内で、第１遠心ファン１１の方向と第２遠心ファン１２の方向とに分岐する。
そして、第１遠心ファン１１の方向に分岐した空気が、矢印Ｆｉ１１ａの方向に沿って第１吸込口４１から第１遠心ファン１１の内部に流入する。また、第２遠心ファン１２の方向に分岐した空気が、矢印Ｆｉ１１ｂの方向に沿って第２吸込口４２から第２遠心ファン１２の内部に流入する。
【００３６】
第１遠心ファン１１の内部に流入した空気は、羽根車１３と第１吐出口５１との間に設けられたダクト９０（以下、「第１ダクト９１」と称する）の内部を流動した後、矢印Ｆｏ１１ａの方向に沿って、第１吐出口５１から第１遠心ファン１１の外部に流出する。
【００３７】
一方、第２遠心ファン１２の内部に流入した空気は、羽根車１３と第２吐出口５２との間に設けられたダクト９０（以下、「第２ダクト９２」と称する）の内部を流動した後、矢印Ｆｏ１１ｂの方向に沿って、第２吐出口５２から第２遠心ファン１２の外部に流出する。
【００３８】
遠心ファンユニット１は、空気を内部に取り込む方向（矢印Ｆｉ１０の方向）と空気を外部に吐き出す方向（矢印Ｆｏ１１ａ及び矢印Ｆｏ１１ｂの方向）とが同一の方向になっている。したがって、遠心ファンユニット１は、空気の流れが、軸流ファンを用いた従来の送風ユニットと同じになっている。そのため、遠心ファンユニット１は、従来の送風ユニットに代わって、電子装置に実装することができる。
【００３９】
なお、ファン支持筐体２０は、好ましくは、第１遠心ファン１１と第２遠心ファン１２とで、吸込口４０（第１吸込口４１及び第２吸込口４２）の位置を高さ方向（上下方向）にずらした状態で、第１遠心ファン１１と第２遠心ファン１２と支持するとよい。これにより、遠心ファンユニット１は、第１遠心ファン１１の内部に流入する空気と第２遠心ファン１２の内部に流入する空気とが干渉して、空気の流れが乱れるのを抑制することができる。なお、本実施形態１では、「高さ方向」は、流路８０の延伸方向を奥行き方向とし、第１吸込口４１及び第２吸込口４２の向きを横方向とする場合に、奥行き方向及び横方向の双方に直交する方向となる。
【００４０】
このような遠心ファンユニット１は、例えば、図５及び図６に示す特性を得ることができる。図５及び図６は、それぞれ、実施形態１に係る遠心ファンユニットの特性を示すグラフである。
【００４１】
図５は、本実施形態１に係る遠心ファンユニット１の流量係数に対する全圧係数、及び、全圧効率を、それぞれ、ＧＰ１、及び、ＧＥ１として示している。また、図５は、比較例としての送風ユニット（図示せず）の流量係数に対する全圧係数、及び、全圧効率を、それぞれ、ＧＰ２、及び、ＧＥ２として示している。
【００４２】
また、図６は、本実施形態１に係る遠心ファンユニット１の流量係数に対する全圧係数、及び、比騒音を、それぞれ、ＧＰ１、及び、ＧＳ１として示している。また、図６は、比較例としての送風ユニット（図示せず）の流量係数に対する全圧係数、及び、比騒音を、それぞれ、ＧＰ２、及び、ＧＳ２として示している。
【００４３】
なお、ここでは、比較例に係る送風ユニットが、本実施形態１に係る遠心ファンユニット１と同等の冷却能力で、かつ、送風ファンとして軸流ファンを用いる、従来と同様のユニットであるものとして説明する。
【００４４】
図５及び図６から明らかなように、本実施形態１に係る遠心ファンユニット１は、比較例に係る送風ユニット（軸流ファンを用いる従来と同様の送風ユニット）と比較すると、全圧効率ＧＥ１（図５参照）が上昇し、また、比騒音ＧＳ１（図６参照）が低下している。したがって、本実施形態１に係る遠心ファンユニット１は、比較例に係る送風ユニット（軸流ファンを用いる従来と同様の送風ユニット）と同等の冷却能力で、低騒音化及び省エネルギー化の効果が得られている。
【００４５】
係る構成において、遠心ファンユニット１は、送風ファンとして２つの遠心ファン１０を用いる構成になっている。そして、遠心ファン１０は、軸流ファンよりも低い回転数で、高い風圧を得ることができる。そのため、遠心ファンユニット１は、送風ファン（２つの遠心ファン１０）の回転数を増加させなくても、通風抵抗の大きな高密度化された電子装置の電子部品を十分に冷却させるための冷却能力を得ることができる。したがって、遠心ファンユニット１は、送風ファン（遠心ファン１０）の回転数を抑制することができる。
【００４６】
また、遠心ファンユニット１は、送風ファンとして２つの遠心ファン１０を用いる構成ですむため、軸流ファンを用いた従来の送風ユニットと同等に小型のサイズに構成することができる。そのため、遠心ファンユニット１は、軸流ファンを用いた従来の送風ユニットと同等に小型で、かつ、従来の送風ユニットよりも大幅な低騒音化及び省エネルギー化を実現することができる。
【００４７】
しかも、遠心ファンユニット１は、空気の流路８０が第１遠心ファン１１と第２遠心ファン１２との間に形成され、第１遠心ファン１１の第１吸込口４１と第２遠心ファン１２の第２吸込口４２とがその流路８０に対して直交した構成になる。そのため、遠心ファンユニット１は、空気の流路８０を設定し易い。このような遠心ファンユニット１は、特に高温の発熱体の周囲を集中的に冷却することができる。遠心ファンユニット１は、この点によっても、小スペースで効率的な冷却を行うことができる。そのため、遠心ファンユニット１は、さらなる低騒音化及び省エネルギー化を実現することができる。
【００４８】
また、遠心ファンユニット１は、取込口３０及び吐出口５０の周囲が開放されていれば、十分な冷却能力を得ることができる。そのため、遠心ファンユニット１は、その側方に様々な電子部品が設置されていても、それによって冷却能力が左右されない構成にすることができる。したがって、この遠心ファンユニット１を実装する電子装置は、遠心ファンユニット１の側方に様々な電子部品を配置することができるため、スペースを有効に活用することができる。
【００４９】
また、遠心ファンユニット１は、ファン支持筐体２０の天板がフラットな構成になっているため、その天板上に様々な電子部品を実装することができる。したがって、この遠心ファンユニット１を実装する電子装置は、ファン支持筐体２０の天板上に様々な電子部品を配置することができるため、この点でも、スペースを有効に活用することができる。
【００５０】
また、遠心ファンユニット１は、例えば、１枚の板材を折り曲げることによって、ファン支持筐体２０を製作することができるため、低コストで、かつ、容易に製造することができる。
【００５１】
また、遠心ファンユニット１は、第１遠心ファン１１及び第２遠心ファン１２が同一形状の遠心ファン１０によって構成されており、ファン支持筐体２０が、流路８０を挟んで、逆向きに、第１遠心ファン１１及び第２遠心ファン１２を支持する構成になっている。そのため、遠心ファンユニット１は、第１遠心ファン１１と第２遠心ファン１２との共通化を図ることができる。したがって、遠心ファンユニット１は、この点でも、低コストで、かつ、容易に製造することができる。
【００５２】
以上の通り、本実施形態１に係る遠心ファンユニット１によれば、軸流ファンを用いた従来の送風ユニットと同等に小型で、かつ、従来の送風ユニットよりも大幅な低騒音化及び省エネルギー化を実現することができる。
【００５３】
［実施形態２］
実施形態１に係る遠心ファンユニット１は、設置空間の寸法上の制約により、対面する第１遠心ファン１１と第２遠心ファン１２との間に十分な離間距離がとれない場合がある。実施形態１に係る遠心ファンユニット１は、この場合に、第１遠心ファン１１の第１吸入口４１と第２遠心ファン１２の第２吸入口４２とが同軸上に存在するため、第１遠心ファン１１の内部に流入する空気と第２遠心ファン１２の内部に流入する空気とが干渉することによって、空気の流れが乱れる可能性がある。そのため、実施形態１に係る遠心ファンユニット１は、この場合に、十分な性能が得られない可能性がある。
【００５４】
そこで、本実施形態２では、第１遠心ファン１１の内部に流入する空気と第２遠心ファン１２（第２遠心ファン１２Ｂ）の内部に流入する空気とが干渉することによって、空気の流れが乱れるのを防止する（効率よく抑制する）遠心ファンユニット１Ｂを提供する。
【００５５】
以下、図７及び図８を参照して、本実施形態２に係る遠心ファンユニット１Ｂの構成につき説明する。図７は、実施形態２に係る遠心ファンユニット１Ｂの構成を示す図である。図８は、実施形態２に係る遠心ファンユニット１Ｂの断面図である。
【００５６】
なお、図７（ａ）は、遠心ファンユニット１Ｂの斜視構成を示している。また、図７（ｂ）は、遠心ファンユニット１Ｂに用いられている２つの遠心ファン１０（以下、「遠心ファン１０Ｂ」と称する）の配置関係を示している。また、図８は、図７（ａ）に示すＢ−Ｂ線に沿って切断した遠心ファンユニット１Ｂの断面構成を示している。
【００５７】
実施形態１に係る遠心ファンユニット１は、第１遠心ファン１１と第２遠心ファン１２とが同じ構成になっている（図１及び図４参照）。これに対し、本実施形態２に係る遠心ファンユニット１Ｂは、第２遠心ファン１２Ｂが第１遠心ファン１１と異なる構成になっている（図７及び図８参照）。
【００５８】
具体的には、図７及び図８に示すように、遠心ファンユニット１Ｂは、第２遠心ファン１２Ｂの第２ダクト９２Ｂが第１遠心ファン１１の第１ダクト９１よりも長く形成されている。
【００５９】
これによって、図８に示すように、遠心ファンユニット１Ｂは、第１遠心ファン１１の第１吸込口４１と第２遠心ファン１２Ｂの第２吸込口４２Ｂとの位置が奥行き方向（前後方向）にずらされた構成になっている。つまり、遠心ファンユニット１Ｂは、第１遠心ファン１１の回転軸Ａ１と第２遠心ファン１２Ｂの回転軸Ａ２との位置が奥行き方向にオフセットされた構成になっている。なお、本実施形態２では、「奥行き方向」は、流路８０Ｂの延伸方向となる。
【００６０】
したがって、本実施形態２に係る遠心ファンユニット１Ｂは、ファン支持筐体２０が、第１遠心ファン１１と第２遠心ファン１２Ｂとで、吸込口４０（第１吸込口４１及び第２吸込口４２Ｂ）の位置を奥行き方向（前後方向）にずらした状態で、第１遠心ファン１１と第２遠心ファン１２Ｂとを支持する構成になっている。
【００６１】
このような遠心ファンユニット１Ｂでは、図８に示すように、空気が、矢印Ｆｉ２０の方向に沿って取込口３０から遠心ファンユニット１Ｂの内部に設けられたケーシング（以下、「吸込ケーシング６０Ｂ」と称する）の内部に流入する。
【００６２】
なお、本実施形態２では、吸込ケーシング６０Ｂは、取込口３０と第１遠心ファン１１との間に設けられている。その吸込ケーシング６０Ｂは、第１遠心ファン１１と第２遠心ファン１２Ｂとの間に設けられた流路８０Ｂに接続されている。第１遠心ファン１１は、第１吸込口４１が流路８０Ｂに向けて開口された構成となっている。また、第２遠心ファン１２Ｂは、第２吸込口４２Ｂが吸込ケーシング６０Ｂ（又は、吸込ケーシング６０Ｂ及び流路８０Ｂ）に向けて開口された構成となっている。
【００６３】
吸込ケーシング６０Ｂの内部に流入した空気は、吸込ケーシング６０Ｂ（ただし、流路８０Ｂの一部を含んでもよい）内で、第１遠心ファン１１の方向と第２遠心ファン１２Ｂの方向とに分岐する。
【００６４】
そして、第２遠心ファン１２Ｂの方向に分岐した空気が、矢印Ｆｉ２１ｂの方向に沿って第２吸込口４２Ｂから第２遠心ファン１２Ｂの内部に流入する。また、第１遠心ファン１１の方向に分岐した空気が、流路８０Ｂの内部を流動した後、矢印Ｆｉ２１ａの方向に沿って第１吸込口４１から第１遠心ファン１１の内部に流入する。
【００６５】
第１遠心ファン１１の内部に流入した空気は、第１ダクト９１の内部を流動した後、矢印Ｆｏ２１ａの方向に沿って、第１吐出口５１から第１遠心ファン１１の外部に流出する。
一方、第２遠心ファン１２Ｂの内部に流入した空気は、第２ダクト９２Ｂの内部を流動した後、矢印Ｆｏ２１ｂの方向に沿って、第２吐出口５２から第２遠心ファン１２の外部に流出する。
【００６６】
なお、遠心ファンユニット１Ｂは、第１遠心ファン１１と第２遠心ファン１２Ｂとで、冷却能力の差が発生し易くなるが、好ましくは、冷却能力の差がなくなるように、第１遠心ファン１１の負荷と第２遠心ファン１２Ｂの負荷とを同等に設定するとよい。
【００６７】
係る構成において、遠心ファンユニット１Ｂは、実施形態１に係る遠心ファンユニット１と同様に、軸流ファンを用いた従来の送風ユニットと同等に小型で、かつ、従来の送風ユニットよりも大幅な低騒音化及び省エネルギー化を実現することができる。
【００６８】
しかも、遠心ファンユニット１Ｂは、前記した通り、第１遠心ファン１１の第１吸込口４１と第２遠心ファン１２Ｂの第２吸込口４２Ｂとの位置が奥行き方向（前後方向）にずらされた構成になっている。つまり、遠心ファンユニット１Ｂは、第１遠心ファン１１の回転軸Ａ１と第２遠心ファン１２Ｂの回転軸Ａ２との位置が奥行き方向にオフセットされた構成になっている。したがって、遠心ファンユニット１Ｂは、第１遠心ファン１１の回転軸Ａ１と第２遠心ファン１２Ｂの回転軸Ａ２とが同軸上に存在しない構成になる。
【００６９】
そのため、遠心ファンユニット１Ｂは、第１遠心ファン１１と第２遠心ファン１２Ｂとの間に十分な離間距離がとれない場合であっても、第１遠心ファン１１の内部に流入する空気（矢印Ｆｉ２１ａの方向に流動する空気）と第２遠心ファン１２Ｂの内部に流入する空気（矢印Ｆｉ２１ｂの方向に流動する空気）とが干渉することによって、空気の流れが乱れるのを防止する（効率よく抑制する）ことができる。
【００７０】
また、遠心ファンユニット１Ｂの第２ダクト９２Ｂは、図８から明らかなように、第１遠心ファン１１が第２遠心ファン１２Ｂから流出した空気を吸気することを防ぐ役割を果たす。
【００７１】
そのため、これによっても、遠心ファンユニット１Ｂは、第１遠心ファン１１の内部に流入する空気と第２遠心ファン１２Ｂの内部に流入する空気とが干渉することによって、空気の流れが乱れるのを防止する（効率よく抑制する）ことができる。
【００７２】
このような遠心ファンユニット１Ｂは、第１遠心ファン１１と第２遠心ファン１２Ｂとの間に十分な離間距離がとれない場合であっても、第１遠心ファン１１の内部に流入する空気と第２遠心ファン１２Ｂの内部に流入する空気とが干渉することによって、空気の流れが乱れるのを防止する（効率よく抑制する）ことができる。そのため、遠心ファンユニット１Ｂは、常に、所望の低騒音化及び省エネルギー化の効果を得ることができる。
【００７３】
以上の通り、本実施形態２に係る遠心ファンユニット１Ｂによれば、実施形態１に係る遠心ファンユニット１と同様に、軸流ファンを用いた従来の送風ユニットと同等に小型で、かつ、従来の送風ユニットよりも大幅な低騒音化及び省エネルギー化を実現することができる。
【００７４】
しかも、本実施形態２に係る遠心ファンユニット１Ｂによれば、実施形態１に係る遠心ファンユニット１に比べて、第１遠心ファン１１と第２遠心ファン１２Ｂとの間に十分な離間距離がとれない場合であっても、空気の流れが乱れるのを防止する（効率よく抑制する）ことができるため、常に、所望の低騒音化及び省エネルギー化の効果を得ることができる。
【００７５】
［実施形態３］
本実施形態３では、遠心ファン１０に流入する空気に対して旋回流れを起こさせることによって、例えば、図５及び図６に示す各特性の線（遠心ファン１０の動作点）の位置を変更させる遠心ファンユニット１Ｃを提供する。
【００７６】
本実施形態３に係る遠心ファンユニット１Ｃは、実施形態１で用いられている遠心ファン１０（又は実施形態２で用いられている遠心ファン１０Ｂ）と、遠心ファン１０（又は遠心ファン１０Ｂ）に流入する空気に対して旋回流れを起こさせる形状に形成された吸込ケーシング６０Ｃとを組み合わせた構成になっている。ここでは、遠心ファンユニット１Ｃが実施形態１で用いられている遠心ファン１０と吸込ケーシング６０Ｃとを組み合わせた構成になっている場合を想定して説明する。
【００７７】
以下、図９及び図１０を参照して、本実施形態３に係る遠心ファンユニット１Ｃの構成につき説明する。図９は、実施形態３に係る遠心ファンユニット１Ｃの構成を示す図である。図１０は、実施形態３に係る遠心ファンユニット１Ｃの断面図である。
【００７８】
なお、図９（ａ）は、遠心ファンユニット１Ｃの斜視構成を示している。また、図９（ｂ）は、遠心ファンユニット１Ｃの左側の遠心ファン１０（第１遠心ファン１１）及びその周囲の構成を拡大して示している。また、図１０は、図９（ａ）に示すＣ−Ｃ線に沿って切断した遠心ファンユニット１Ｃの断面構成を示している。
【００７９】
図９（ａ）に示すように、本実施形態３に係る遠心ファンユニット１Ｃは、遠心ファン１０としての第１遠心ファン１１及び第２遠心ファン１２と、ファン支持筐体２０Ｃとしての、第１遠心ファン１１を支持する第１ファン支持筐体２１Ｃ及び第２遠心ファン１２を支持する第２ファン支持筐体２２Ｃとを有する構成になっている。
【００８０】
第１ファン支持筐体２１Ｃ及び第２ファン支持筐体２２Ｃは、隣接して配置される。第１ファン支持筐体２１Ｃ及び第２ファン支持筐体２２Ｃは、互いの隣接する側の面が仕切り板９９によって閉鎖されている。
【００８１】
第１ファン支持筐体２１Ｃは、空気の取込口（第１取込口３１Ｃ（図１０参照））側から空気の吐出口（第１吐出口５１（図１０参照））側に向けて、テーパ状（先細の形状）に形成されている（図９参照）。第１ファン支持筐体２１Ｃは、その内部に、吸込ケーシング６０Ｃとしての第１吸込ケーシング６１Ｃ（図１０参照）を備えている。第１吸込ケーシング６１Ｃは、後記する第１取込口３１Ｃと第１遠心ファン１１との間に設けられている（図１０参照）。
【００８２】
第１吸込ケーシング６１Ｃは、第１ファン支持筐体２１Ｃと同様のテーパ状（先細の形状）に形成されている。これによって、第１吸込ケーシング６１Ｃは、その内部を流れる空気に対して旋回流れを起こさせる。
【００８３】
第１吸込ケーシング６１Ｃは、大口径の開口部と小口径の開口部とが設けられている。第１吸込ケーシング６１Ｃの大口径の開口部は、空気を取り込む第１取込口３１Ｃとして機能する（図１０参照）。また、第１吸込ケーシング６１Ｃの小口径の開口部は、空気を後記する第１流路８１に流動させる連結部として機能する（図１０参照）。したがって、空気は、第１取込口３１Ｃとしての大口径の開口部から第１吸込ケーシング６１Ｃの内部に流入し、第１吸込ケーシング６１Ｃの内部を流動して、連結部として小口径の開口部から第１流路８１の内部に流入する。
【００８４】
第１流路８１は、第１遠心ファン１１と第１ファン支持筐体２１Ｃの仕切り板９９（以下、「第１仕切り板９９ａ」と称する）との間に形成されている。第１遠心ファン１１は、第１吸込口４１が第１吸込ケーシング６１Ｃの小口径の開口部付近に設けられた第１流路８１に向けて開口された状態で、第１ファン支持筐体２１Ｃによって支持されている。
【００８５】
一方、第２ファン支持筐体２２Ｃは、第１ファン支持筐体２１Ｃと同様に、空気の取込口（第２取込口３２Ｃ（図１０参照））側から空気の吐出口（第２吐出口５２（図１０参照））側に向けて、テーパ状（先細の形状）に形成されている（図９参照）。第２ファン支持筐体２２Ｃは、第１ファン支持筐体２１Ｃと同様に、その内部に、吸込ケーシング６０Ｃとしての第２吸込ケーシング６２Ｃ（図１０参照）を備えている。第２吸込ケーシング６２Ｃは、後記する第２取込口３２Ｃと第２遠心ファン１２との間に設けられている（図１０参照）。
【００８６】
第２吸込ケーシング６２Ｃは、第２ファン支持筐体２２Ｃと同様のテーパ状（先細の形状）に形成されている。これによって、第２吸込ケーシング６２Ｃは、第１吸込ケーシング６１Ｃと同様に、その内部を流れる空気に対して旋回流れを起こさせる。
【００８７】
第２吸込ケーシング６２Ｃは、第１吸込ケーシング６１Ｃと同様に、大口径の開口部と小口径の開口部とが設けられている。第２吸込ケーシング６２Ｃの大口径の開口部は、空気を取り込む第２取込口３２Ｃとして機能する（図１０参照）。また、第２吸込ケーシング６２Ｃの小口径の開口部は、空気を流動させる後記する第２流路８２に流動させる連結部として機能する（図１０参照）。したがって、空気は、第２取込口３２Ｃとしての大口径の開口部から第２吸込ケーシング６２Ｃの内部に流入し、第２吸込ケーシング６２Ｃの内部を流動して、連結部として小口径の開口部から第２流路８２の内部に流入する。
【００８８】
第２流路８２は、第２遠心ファン１２と第２ファン支持筐体２２Ｃの仕切り板９９（以下、「第２仕切り板９９ｂ」と称する）との間に形成されている。第２遠心ファン１２は、第２吸込口４２が第２吸込ケーシング６２Ｃの小口径の開口部付近に設けられた第２流路８２に向けて開口された状態で、第２ファン支持筐体２２Ｃによって支持されている。
【００８９】
このような遠心ファンユニット１Ｃでは、図１０に示すように、空気が、遠心ファンユニット１Ｃの内部に流入する際に、第１遠心ファン１１の方向と第２遠心ファン１２の方向とに予め分岐する。
【００９０】
そして、第１遠心ファン１１の方向に分岐した空気が、矢印Ｆｉ３０ａの方向に沿って第１取込口３１Ｃから第１吸込ケーシング６１Ｃの内部に流入する。また、第２遠心ファン１２の方向に分岐した空気が、矢印Ｆｉ３０ｂの方向に沿って第１取込口３２Ｃから第２吸込ケーシング６２Ｃの内部に流入する。
【００９１】
第１吸込ケーシング６１Ｃの内部に流入した空気は、第１流路８１の内部を流動した後、矢印Ｆｉ３１ａの方向に沿って第１吸込口４１から第１遠心ファン１１の内部に流入する。また、第２吸込ケーシング６２Ｃの内部に流入した空気は、第２流路８２の内部を流動した後、矢印Ｆｉ３１ｂの方向に沿って第２吸込口４２から第２遠心ファン１２の内部に流入する。
【００９２】
第１遠心ファン１１の内部に流入した空気は、第１ダクト９１の内部を流動した後、矢印Ｆｏ３１ａの方向に沿って、第１吐出口５１から第１遠心ファン１１の外部に流出する。
【００９３】
一方、第２遠心ファン１２の内部に流入した空気は、第２ダクト９２の内部を流動した後、矢印Ｆｏ３１ｂの方向に沿って、第２吐出口５２から第２遠心ファン１２の外部に流出する。
【００９４】
係る構成において、遠心ファンユニット１Ｃは、吸込ケーシング６０Ｃが遠心ファン１０に流入する空気に対して旋回流れを起こさせる。これによって、遠心ファンユニット１Ｃは、図５及び図６に示す各特性の線（遠心ファン１０の動作点）の位置を変更することができる。その結果、遠心ファンユニット１Ｃは、例えば、図５及び図６に示す全圧係数ＧＰ１、全圧効率ＧＥ１、及び、比騒音ＧＳ１の各特性の向上を図ることができる。
【００９５】
これにより、遠心ファンユニット１Ｃは、例えば、ある特定の電子装置向けに専用に設計されたユニットであっても、適切な吸込ケーシング６０Ｃを遠心ファン１０に組み合わせることによって、別の電子装置向けにチューニングすることが可能となる。
【００９６】
また、本実施形態３に係る遠心ファンユニット１Ｃは、第１仕切り板９９ａと第２仕切り板９９ｂとによって、第１ファン支持筐体２１Ｃと第２ファン支持筐体２２Ｃとの間を仕切るとともに、流路８０（図４参照）を第１流路８１と第２流路８２とに分割している。
【００９７】
これにより、本実施形態３に係る遠心ファンユニット１Ｃは、第１遠心ファン１１と第２遠心ファン１２との間に十分な離間距離がとれない場合であっても、第１遠心ファン１１の内部に流入する空気と第２遠心ファン１２の内部に流入する空気とが干渉することによって、空気の流れが乱れるのを完全に防止する（実施形態２に係る遠心ファンユニット１Ｂよりもさらに確実に抑制する）ことができる。そのため、本実施形態３に係る遠心ファンユニット１Ｃは、実施形態２に係る遠心ファンユニット１Ｂと同様に、常に、所望の低騒音化及び省エネルギー化の効果を得ることができる。
【００９８】
以上の通り、本実施形態３に係る遠心ファンユニット１Ｃによれば、実施形態１に係る遠心ファンユニット１又は実施形態２に係る遠心ファンユニット１Ｂと同様に、軸流ファンを用いた従来の送風ユニットと同等に小型で、かつ、従来の送風ユニットよりも大幅な低騒音化及び省エネルギー化を実現することができる。
【００９９】
また、本実施形態３に係る遠心ファンユニット１Ｃによれば、第１遠心ファン１１と第２遠心ファン１２との間に十分な離間距離がとれない場合であっても、空気の流れが乱れるのを完全に防止する（実施形態２に係る遠心ファンユニット１Ｂよりもさらに確実に抑制する）ことができるため、常に、所望の低騒音化及び省エネルギー化の効果を得ることができる。
【０１００】
しかも、本実施形態３に係る遠心ファンユニット１Ｃによれば、遠心ファン１０の動作点の位置を変更させることができるため、ある特定の電子装置向けに専用に設計されたユニットであっても、それ以外の電子装置向けにチューニングすることが可能となる。
【０１０１】
［実施形態４］
本実施形態４では、実施形態１乃至実施形態３に係る遠心ファンユニット１，１Ｂ，１Ｃのいずれか１乃至複数種類のユニットを実装する電子装置１００を提供する。
【０１０２】
以下、図１１を参照して、本実施形態４に係る電子装置１００の構成につき説明する。図１１は、本実施形態４に係る電子装置の概略構成図である。ここでは、本実施形態４に係る電子装置１００がブレードサーバとして構成されている場合を想定して説明する。
【０１０３】
本実施形態４に係る電子装置としてのブレードサーバ１００は、ブレードサーバ筐体部１０１とブレードサーバ電子機器部１０２と遠心ファンユニット１０３とを有する構成になっている。
【０１０４】
ブレードサーバ筐体部１０１は、ブレードサーバ電子機器部１０２と遠心ファンユニット１０３とを支持する筐体である。ブレードサーバ筐体部１０１は、略中央部分の空間を挟んで対向する対向面の一方の面に、ブレードサーバ電子機器部１０２がブレードのように挿し込まれるとともに、対向面の他方の面に、遠心ファンユニット１０３がブレードのように挿し込まれる構成になっている。
【０１０５】
ブレードサーバ電子機器部１０２は、多数の電子部品（配線や基板等を含む）が実装された電子機器である。
遠心ファンユニット１０３は、空気を流動させる送風ユニットである。遠心ファンユニット１０３は、実施形態１乃至実施形態３に係る遠心ファンユニット１，１Ｂ，１Ｃのいずれか１乃至複数種類のユニット（全種類のユニットも可能）を、少なくとも１ユニット以上組み合わせることによって、構成される。
【０１０６】
図１１に示す例では、ブレードサーバ筐体部１０１は、取込口１０３ａがブレードサーバ電子機器部１０２と対向するように、遠心ファンユニット１０３を支持している。遠心ファンユニット１０３は、矢印Ｆｏ４１の方向に沿って、取込口１０３ａから吐出口１０３ｂに向けて、空気を流動させる。
【０１０７】
そのため、空気は、矢印Ｆｉ４１の方向に沿って、ブレードサーバ電子機器部１０２の正面側（図１１では、手前側）から背面側（図１１では、奥側）に向けて、ブレードサーバ電子機器部１０２の内部や周囲を流動し、さらに、矢印Ｆｏ４１の方向に沿って、取込口１０３ａから吐出口１０３ｂに向けて、遠心ファンユニット１０３の内部を流動する。
【０１０８】
このようなブレードサーバ１００は、遠心ファンユニット１０３として、実施形態１乃至実施形態３に係る遠心ファンユニット１，１Ｂ，１Ｃのいずれか１乃至複数のユニットを実装する。
【０１０９】
そのため、ブレードサーバ１００は、送風ファン（２つの遠心ファン１０）の回転数を増加させなくても、通風抵抗の大きな高密度化された電子装置の電子部品を十分に冷却させることができる。その結果、ブレードサーバ１００は、従来の送風ユニットによる冷却時以上の低騒音化及び省エネルギー化を実現することができる。
【０１１０】
なお、本実施形態４に係る電子装置は、ブレードサーバ１００のみに限定されるものではなく、ラックサーバやパーソナルコンピュータ（ＰＣ）等のコンピュータや、他の電子装置全般においても、同様の効果が得られる。
【０１１１】
以上の通り、本実施形態４に係る電子装置１００は、遠心ファンユニット１０３として、実施形態１乃至実施形態３に係る遠心ファンユニット１，１Ｂ，１Ｃのいずれか１乃至複数のユニットを実装するため、従来の送風ユニットによる冷却時以上の低騒音化及び省エネルギー化を実現することができる。
【０１１２】
本発明は、前記した実施形態に限定されることなく、本発明の要旨を逸脱しない範囲で種々の変更や変形を行うことができる。
例えば、実施形態４に係る電子装置１００は、空気の流れる方向を逆の方向にすることが可能である。
【符号の説明】
【０１１３】
１，１Ｂ，１Ｃ    遠心ファンユニット
１０（１１，１２），１０Ｂ（１１，１２Ｂ）    遠心ファン
１３    羽根車
１４    ブレード
２０，２０Ｃ（２１Ｃ，２２Ｃ）    ファン支持筐体
３０，３１Ｃ，３２Ｃ    取込口
４０（４１，４２，４２Ｂ）    吸込口
５０（５１，５２）    吐出口
６０，６０Ｂ，６０Ｃ（６１Ｃ，６２Ｃ）    吸込ケーシング
７０    吐出ケーシング
８０，８０Ｂ，８１，８２    流路
９０（９１，９２，９２Ｂ）    ダクト
９９（９９ａ，９９ｂ）    仕切り板
１００    ブレードサーバ（電子装置）
１０１    ブレードサーバ筐体部
１０２    ブレードサーバ電子機器部
１０３    遠心ファンシステム
【図１】
2013245634.tif 000003
【図２】
2013245634.tif 000004
【図３】
2013245634.tif 000005
【図４】
2013245634.tif 000006
【図５】
2013245634.tif 000007
【図６】
2013245634.tif 000008
【図７】
2013245634.tif 000009
【図８】
2013245634.tif 000010
【図９】
2013245634.tif 000011
【図１０】
2013245634.tif 000012
【図１１】
2013245634.tif 000013